(57)【要約】【課題】ＣＦカード等を用いて通信を行うＰＤＡやＰＣ等の情報装置において、予め登録された複数の通信接続先を簡単に選択できるようにする。【解決手段】カードスロットに挿入されたＣＦカードの種別を自動的に判別し、その判別されたＣＦカードの種別と通信設定データベース等に予め登録されている接続先情報に基づいて接続先に自動接続する。さらに、１つの通信カードについて複数の接続先が登録されている場合、それら複数の接続先について、予め設定された優先順位で接続の有無を順次確認し、接続可能な接続先を検出できた時点でその接続先に自動接続する。【選択図】図７
2004165824.tif 000002
【特許請求の範囲】
【請求項１】
カードスロットを有し、そのカードスロットに挿入が可能な複数種の通信カードのそれぞれについて通信を行うのに必要な接続先情報が予め記憶部に登録される情報装置において、通信の接続先を選択する方法であって、カードスロットに挿入された通信カードの種別を判別する工程と、その判別された通信カードの種別と前記記憶部に登録されている接続先情報に基づいて接続先に自動接続する工程を有することを特徴とする通信接続先選択方法。
【請求項２】
請求項１記載の通信接続先選択方法において、１つの通信カードについて複数の接続先が登録されている場合、それら複数の接続先について、予め設定された優先順位で接続の有無を順次確認し、接続可能な接続先を検出できた時点でその接続先に自動接続する工程を有することを特徴とする通信接続先選択方法。
【請求項３】
請求項２記載の通信接続先選択方法において、前記複数の接続先のリストを表示部に表示する工程と、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始する工程を有することを特徴とする通信接続先選択方法。
【請求項４】
請求項２記載の通信接続先選択方法において、前記複数の接続先への接続の優先順位を、過去の接続回数に応じて順次変更する工程を有することを特徴とする通信接続先選択方法。
【請求項５】
請求項２記載の通信接続先選択方法において、通信接続されている接続先の通信状態を監視し、その通信状態が非通信状態となったときに、他の接続先が有るか否かを判別して、他の接続先がある場合には、その他の接続先に通信接続を切り換える工程を有することを特徴とする通信接続先選択方法。
【請求項６】
請求項１記載の通信接続先選択方法において、前記カードスロットに挿入された通信カードによる通信状態を監視し、その通信状態が非通信となったときに、他の通信手段が有るか否かを判別して、他の通信手段がある場合には、その他の通信手段による通信接続に切り換える工程を有することを特徴とする通信接続先選択方法。
【請求項７】
カードスロットと、そのカードスロットに挿入が可能な複数種の通信カードのそれぞれについて通信を行うのに必要な接続先情報を登録する記憶部と、前記カードスロットに挿入された通信カードの種別を判別する判別処理部と、前記判別処理部にて判別された通信カードの種別と前記記憶部に登録されている接続先情報に基づいて接続先に自動接続する通信処理部を備えていることを特徴とする携帯情報装置。
【請求項８】
請求項７記載の携帯情報装置において、１つの通信カードについて複数の接続先が前記記憶部に登録されている場合、それら複数の接続先について、予め設定された優先順位で接続の有無を順次確認し、接続可能な接続先を検出できた時点でその接続先に自動接続するように構成されていることを特徴とする携帯情報装置。
【請求項９】
請求項８記載の携帯情報装置において、前記記憶部に登録されている複数の接続先のリストを表示する表示部を備え、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始するように構成されていることを特徴とする携帯情報装置。
【請求項１０】
請求項８記載の携帯情報装置において、前記複数の接続先への接続の優先順位を、過去の接続回数に応じて順次変更するように構成されていることを特徴とする携帯情報装置。
【請求項１１】
請求項８記載の携帯情報装置において、通信接続されている接続先の通信状態を監視し、その通信状態が非通信状態となったときに、他の接続先が有るか否かを判別して、他の接続先がある場合には、その他の接続先に通信接続を切り換える手段を備えていることを特徴とする携帯情報装置。
【請求項１２】
請求項７記載の携帯情報装置において、前記カードスロットに挿入された通信カードによる通信状態を監視し、その通信状態が非通信となったときに他の通信手段が有るか否かを判別して、他の通信手段がある場合には、その他の通信手段による通信接続に切り換える手段を備えていることを特徴とする携帯情報装置。
【請求項１３】
カードスロットを有し、そのカードスロットに挿入が可能な複数種の通信カードのそれぞれについて通信を行うのに必要な接続先情報が予め記憶部に登録された情報装置において、通信の接続先を選択する処理を実行させるプログラムであって、カードスロットに挿入された通信カードの種別を判別するステップと、その判別された通信カードの種別と前記記憶部に登録されている接続先情報に基づいて接続先に自動接続するステップを有することを特徴とする通信接続先選択プログラム。
【請求項１４】
請求項１３記載の通信接続先選択プログラムにおいて、１つの通信カードについて複数の接続先が登録されている場合、それら複数の接続先について、予め設定された優先順位で接続の有無を順次確認し、接続可能な接続先を検出できた時点でその接続先に自動接続するステップを有することを特徴とする通信接続先選択プログラム。
【請求項１５】
請求項１４記載の通信接続先選択プログラムにおいて、前記複数の接続先のリストを表示部に表示するステップと、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始するステップを有することを特徴とする通信接続先選択プログラム。
【請求項１６】
請求項１３〜１５のいずれかに記載の通信接続先選択プログラムを記録した記録媒体。
【発明の詳細な説明】
【０００１】
【発明の属する技術分野】
本発明は、無線ＬＡＮ通信、有線ＬＡＮ通信及びＰＨＳ通信等が可能なＰＤＡやＰＣなどの情報装置に用いられる通信接続先選択方法、携帯情報装置、通信接続先選択プログラム並びに通信接続先選択プログラムを記録した記録媒体に関する。
【０００２】
【従来の技術】
ＰＤＡやＰＣ等の情報装置にはカードスロットが設けられており、無線ＬＡＮカード、有線ＬＡＮカード、ＰＨＳカードなどのＣＦ（コンパクトフラッシュ）カードを挿入することにより、ＰＤＡやＰＣ等を通信装置として使用することができるようになっている。また、ＰＤＡやＰＣ等には、ＣＦカードスロットに加えて、ＳＤ（Ｓｅｃｕｒｅ  Ｄｉｇｉｔａｌ）カード挿入用のＳＤカードスロットが併設されている製品もある。
【０００３】
このようなカードスロットを備えたＰＤＡやＰＣ等においては、通信を行なうアクセス場所によってカードスロットに挿入するＣＦカード（またはＳＤカード）の種類を使い分けることより、通信形態を使用場所の通信環境に合わせることができる。例えば、会社や自宅などで有線ＬＡＮを利用して通信を行う場合は有線ＬＡＮカードをカードスロットに挿入し、また、外出先で通信を行う場合には無線ＬＡＮカードやＰＨＳカードをカードスロットに挿入するというような使い分けにより、通信接続対象を選択することができる。
【０００４】
ここで、ＣＦカード等を用いて通信を行う技術に関して、例えば、ＰＤＡ等のカードスロットにカードが挿入されたときに、そのカードに適した通信設定を自動的に設定する方式が提案されている（例えば、特許文献１参照。）。
【０００５】
また、無線ＬＡＮの接続に関する技術として、ＰＨＳ等の通信端末の通信圏内に存在する接続機器を特定するための形状や名称に関する識別情報を表示する方法が提案されている（例えば、特許文献２参照。）。
【０００６】
【特許文献１】
特開平１１−１３４２７１号公報
【特許文献２】
特開２００１−１４４７６７号公報
【０００７】
【発明が解決しようとする課題】
ところで、ＣＦカード等を用いて通信を行うＰＤＡやＰＣ等において、通信の接続先を選択する方法としては、例えば、無線ＬＡＮ、有線ＬＡＮ、ＰＨＳなどの各種通信の接続先をユーザーが予め機器に登録しておき、通信を行う際に、登録済みの複数の接続先のうち、使用する接続先をパネルタッチ操作等によりユーザーが選択するという方法が採られている。
【０００８】
しかし、このような選択方法では、カードスロットに挿入されているカード種別に応じて、無線ＬＡＮ、有線ＬＡＮ、ＰＨＳ等のうち、いずれか１つをプルダウンで選択する必要があり、さらに、無線ＬＡＮ等に複数の接続先（例えば「会社」、「Ｈｏｔ  ｓｐｏｔ」、「自宅」等）が登録されている場合、それら接続先のいずれか１つをプルダウンで選択する必要があるため、接続先の選択操作が非常に煩雑であるという問題がある。
【０００９】
なお、前記した特許文献１（特開平１１−１３４２７１号公報）に記載の技術では、カードスロットに挿入されたカードを自動認識して、そのカードに適した通信設定を行うようになっているが、ユーザーが使う接続先を複数登録して通信を行うことは想定されておらず、上記のような問題を解決することはできない。
【００１０】
また、前記した特許文献２（特開２００１−１４４７６７号公報）に記載の技術は、ＰＨＳ等の通信端末の通信圏内に存在する接続機器を特定するための形状や名称に関する識別情報を表示する技術であり、復数種のＣＦカードをカードスロットに挿入して通信接続先を選択する技術ではない。
【００１１】
本発明はそのような実情に鑑みてなされたもので、ＣＦカード等を用いて通信を行うＰＤＡやＰＣ等の情報装置において、接続ボタンの操作等を行うだけで、予め登録された複数の通信接続先を容易に選択することが可能な通信接続先選択方法及びそのような通信接続先選択方法を適用した携帯情報装置、並びに、通信接続先選択プログラム及び通信接続先選択プログラムを記録した記録媒体を提供することを目的とする。
【００１２】
【課題を解決するための手段】
本発明の通信接続先選択方法は、カードスロットを有し、そのカードスロットに挿入が可能な複数種の通信カードのそれぞれについて通信を行うのに必要な接続先情報が予め記憶部に登録される情報装置において、通信の接続先を選択する選択方法であって、カードスロットに挿入された通信カードの種別を判別する工程と、その判別された通信カードの種別と前記記憶部に登録されている接続先情報に基づいて接続先に自動接続する工程を有することを特徴としている。
【００１３】
本発明の通信接続先選択方法によれば、カードスロットに挿入された通信カードが自動的に判別され、その判別された通信カードについて予め登録されている接続先に自動的に通信接続されるので、ユーザーは、無線ＬＡＮ、有線ＬＡＮ、ＰＨＳなどの接続先のプルダウンで選択するという面倒な操作を行う必要がなくなる。
【００１４】
本発明の通信接続先選択方法において、１つの通信カードについて複数の接続先が登録されている場合、それら複数の接続先について、予め設定された優先順位で接続の有無を順次確認し、接続可能な接続先を検出できた時点でその接続先に自動接続するようにしてもよい。
【００１５】
この発明によれば、例えば無線ＬＡＮの接続先が複数登録されている場合であっても、予め設定された優先順位に従って接続先が選択されて自動接続されるので、例えば「会社」、「Ｈｏｔ  ｓｐｏｔ」、「自宅」などの接続先をプルダウンで選択するという面倒な操作を省略することができる。
【００１６】
本発明の通信接続先選択方法において、前記複数の接続先のリストを表示部に表示する処理と、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始する処理を行うようにしてもよい。
【００１７】
この発明によれば、接続先リストが表示された時点から自動接続が開始されるまでの間（例えば５秒間）において手動接続が可能であるので、ユーザーが接続先を選び直したいときには、接続先を手動で選択することができる。
【００１８】
本発明の通信接続先選択方法において、前記複数の接続先への接続の優先順位を、過去の接続回数に応じて順次変更するようにしてもよい。
【００１９】
この発明によれば、ユーザーが予め想定していた各接続先（例えば無線ＬＡＮの各接続先）の接続頻度が、実際の使用において異なる場合には、接続先の優先順位が自動的に変更されるので、ユーザーは優先順位の設定・登録をやり直す必要がなくなる。
【００２０】
本発明の通信接続先選択方法において、通信接続されている接続先の通信状態を監視し、その通信状態が非通信状態となったときに、他の接続先が有るか否かを判別して、他の接続先がある場合には、その他の接続先に通信接続を切り換えるようにしてもよい。
【００２１】
この発明によれば、例えば無線ＬＡＮ通信を行っている途中において、ユーザーが接続先の通信圏外に移動して通信接続が切れても、無線ＬＡＮの他の接続先への接続に自動的に切り換わるので、ユーザーは接続操作のやり直しを行うことなく、通信を継続することができる。
【００２２】
本発明の通信接続先選択方法において、前記カードスロットに挿入された通信カードによる通信状態を監視し、その通信状態が非通信となったときに他の通信手段が有るか否かを判別して、他の通信手段がある場合には、その他の通信手段による通信接続に切り換えるようにしてもよい。
【００２３】
この発明によれば、例えば無線ＬＡＮ通信を行っている途中において、ユーザーが接続先の通信圏外に移動して通信接続が切れても、他の接続装置による接続に自動的に切り換わるので、ユーザーは接続操作のやり直しを行うことなく、通信を継続することができる。
【００２４】
本発明の携帯情報装置は、カードスロットと、そのカードスロットに挿入が可能な複数種の通信カードのそれぞれについて通信を行うのに必要な接続先情報を登録する記憶部と、前記カードスロットに挿入された通信カードの種別を判別する判別処理部と、前記判別処理部にて判別された通信カードの種別と前記記憶部に登録されている接続先情報に基づいて接続先に自動接続する通信処理部を備えていることによって特徴づけられる。
【００２５】
本発明の携帯情報装置によれば、カードスロットに挿入された通信カードが自動的に判別され、その判別された通信カードについて予め登録されている接続先に自動的に通信接続されるので、ユーザーは、無線ＬＡＮ、有線ＬＡＮ、ＰＨＳなどの接続先をプルダウンで選択するという面倒な操作を行う必要がなくなる。
【００２６】
本発明の携帯情報装置において、１つの通信カードについて複数の接続先が前記記憶部に登録されている場合、それら複数の接続先について、予め設定された優先順位で接続の有無を順次確認し、接続可能な接続先を検出できた時点でその接続先に自動接続するように構成してもよい。
【００２７】
この発明によれば、例えば無線ＬＡＮの接続先が複数登録されている場合であっても、予め設定された優先順位に従って接続先が選択されて自動接続されるので、例えば「会社」、「Ｈｏｔ  ｓｐｏｔ」、「自宅」などの接続先をプルダウンで選択するという面倒な操作を省略することができる。
【００２８】
本発明の携帯情報装置において、前記記憶部に登録されている複数の接続先のリストを表示する表示部を備え、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始するように構成してもよい。
【００２９】
この発明によれば、接続先リストが表示された時点から自動接続が開始されるまでの間（例えば５秒間）において手動接続が可能であるので、ユーザーが接続先を選び直したいときには、接続先を手動で選択することができる。
【００３０】
本発明の携帯情報装置において、前記複数の接続先への接続の優先順位を、過去の接続回数に応じて順次変更するように構成してもよい。
【００３１】
この発明によれば、ユーザーが予め想定していた各接続先（例えば無線ＬＡＮの各接続先）の接続頻度が、実際の使用において異なる場合には、接続先の優先順位が自動的に変更されるので、ユーザーは優先順位の設定・登録をやり直す必要がなくなる。
【００３２】
本発明の携帯情報装置において、通信接続されている接続先の通信状態を監視し、その通信状態が非通信状態となったときに、他の接続先が有るか否かを判別して、他の接続先がある場合には、その他の接続先に通信接続を切り換える手段を設けておいてもよい。
【００３３】
この発明によれば、例えば無線ＬＡＮ通信を行っている途中において、ユーザーが接続先の通信圏外に移動して通信接続が切れても、無線ＬＡＮの他の接続先への接続に自動的に切り換わるので、ユーザーは接続操作のやり直しを行うことなく、通信を継続することができる。
【００３４】
本発明の携帯情報装置において、前記カードスロットに挿入された通信カードによる通信状態を監視し、その通信状態が非通信となったときに他の通信手段が有るか否かを判別して、他の通信手段がある場合には、その他の通信手段による通信接続に切り換える手段を設けておいてもよい。
【００３５】
この発明によれば、例えば無線ＬＡＮ通信を行っている途中において、ユーザーが接続先の通信圏外に移動して通信接続が切れても、他の接続装置による接続に自動的に切り換わるので、ユーザーは接続操作のやり直しを行うことなく、通信を継続することができる。
【００３６】
本発明の通信接続先選択プログラムは、カードスロットを有し、そのカードスロットに挿入が可能な複数種の通信カードのそれぞれについて通信を行うのに必要な接続先情報が予め記憶部に登録された情報装置において、通信の接続先を選択する処理を実行させるプログラムであって、カードスロットに挿入された通信カードの種別を判別するステップと、その判別された通信カードの種別と前記記憶部に登録されている接続先情報に基づいて接続先に自動接続するステップを有することによって特徴づけられる。
【００３７】
本発明の通信接続先選択プログラムによれば、カードスロットに挿入された通信カードが自動的に判別され、その判別された通信カードについて予め登録されている接続先に自動的に接続するという処理をＰＤＡやＰＣ等の情報装置に実行させることができる。
【００３８】
本発明の通信接続先選択プログラムにおいて、１つの通信カードについて複数の接続先が登録されている場合、それら複数の接続先について、予め設定された優先順位で接続の有無を順次確認し、接続可能な接続先を検出できた時点でその接続先に自動接続するステップを備えていてもよい。
【００３９】
この発明の通信接続先選択プログラムによれば、例えば無線ＬＡＮの接続先が複数登録されている場合であっても、予め設定された優先順位に従って接続先を選択して自動接続するという処理をＰＤＡやＰＣ等の情報装置に実行させることができる。
【００４０】
本発明の通信接続先選択プログラムにおいて、前記複数の接続先のリストを表示部に表示するステップと、前記自動接続の開始を、前記表示部への接続先リスト表示から所定時間が経過した時点に設定するとともに、その自動接続開始前に、表示リスト内の接続先が手動操作により指定されたときには、その指定された接続先に接続を開始するステップを備えていてもよい。
【００４１】
この発明の通信接続先選択プログラムによれば、接続先リストが表示された時点から自動接続が開始されるまでの間（例えば５秒間）において手動接続を可能にする処理をＰＤＡやＰＣ等の情報装置に実行させることができる。
【００４２】
本発明の記録媒体は、ＰＡＤやＰＣ等の情報装置で読み取り可能な記録媒体であって、前記した特徴をもつ通信接続先選択プログラムを記録していることを特徴としている。
【００４３】
本発明の記録媒体によれば、ＣＦカード等を用いて通信を行うＰＤＡやＰＣ等の情報装置において、予め登録された複数の通信接続先を容易に選択することが可能な通信接続先選択方法の汎用性を高めることができる。
【００４４】
【発明の実施の形態】
以下、本発明の実施形態を図面に基づいて説明する。
【００４５】
まず、本発明を適用する携帯情報装置の構成を図１〜図３を参照しながら説明する。
【００４６】
この例の携帯情報装置１００は装置本体１０１と表示部１０２からなり、その表示部１０２を装置本体１０１に対して、図３に示す要領で回転操作することにより、操作形態を図１に示す［ＰＣスタイル］または図２に示す［ＰＤＡスタイル］の２つの形態のいずれか一方を自由に選択することができる。
【００４７】
表示部１０２の一面には液晶ディスプレイ（タッチパネル付き）１２０が設けられている。この液晶ディスプレイ１２０の画面上には一般的なＰＣと同様にタスクバー１２１が表示される。
【００４８】
図１に示す［ＰＣスタイル］の操作形態は、表示部１０２を開いた形態であり、装置本体１０１に設けられたキーボード１１１の操作が可能であり、また、表示部１０２の液晶ディスプレイ１２０をキーボード１１１の斜め上方に配置できる。この［ＰＣスタイル］の操作形態においては、キーボード１１１を操作しながら、文章作成やスケジュールやアドレス帳などの入力や、ＣＦカードなどを使って電子メールやＷＥＢ閲覧などを行うことができる。
【００４９】
一方、図１に示す［ＰＣスタイル］の操作形態から、表示部１０２を図３のように回転（１８０度）させて装置本体１０１の操作側（キーボード１１１側）と表示部１０２の外面側（液晶ディスプレイ１２０の背面側）とを合わせることにより、図２に示す［ＰＤＡスタイル］の操作形態とすることができる。この［ＰＤＡスタイル］の操作形態では、表示部１０２の液晶ディスプレイ１２０のタッチパネルに表示したタブレットキー等をタッチペン（図示せず）でタッチ操作することにより、各種処理を実行させることができる。なお、［ＰＤＡスタイル］の操作形態から［ＰＣスタイル］の操作形態への変更も、表示部１０２の回転操作により行うことができる。
【００５０】
装置本体１０１の右側面（図１の右側面）には、ＣＦカードスロット１１０及びイヤホンマイクジャック１１２が設けられている。また、装置本体１０１の左側面（図１の左側面）には、ＵＳＢケーブルなどのインターフェースを接続するＩ／Ｏポート１１３が設けられている。
【００５１】
装置本体１０１の背面側（図２（Ａ）の左側面）には、図２（Ｂ）に示すように、電源をＯＮ／ＯＦＦする電源ボタン１１４、ＯＫやキャンセル処理を指示するＯＫ／Ｃａｎｃｅｌキー（シーソーキー）１１５、カーソルを移動するカーソルキー１１６、光で無線通信を行うＩｒＤＡの送受信部１１７、ＳＤカードスロット１１８、及び、ＡＣアダプターの端子を挿入するＡＣアダプター端子１１９がそれぞれ設けられている。なお、装置本体１０１の正面側（図２（Ａ）の右側面）には、タッチペンを保持するペン収容部（図示せず）が設けられている。
【００５２】
以上の携帯情報装置１００においては、図４及び図５に示すように、携帯電話として使用する場合に無線通信を行なうＰＨＳデータカード２１、８０２．１１ｂにて無線通信を行う無線ＬＡＮカード２２、あるいは有線ＬＡＮカード（図示せず）などのＣＦカードをＣＦカードスロット１１０に挿入することにより、無線ＬＡＮ通信、ＰＨＳ通信、有線ＬＡＮ通信などを行う通信装置として使用することができる。
【００５３】
＜実施形態１＞
図６は本発明の携帯情報装置の実施形態の制御系の構成を示すブロック図である。
【００５４】
図６に示す携帯情報装置１０は、カード種別判断処理部１、接続先選択処理部２、通信実行処理部３、カードマネージャ（ＣＦ）４、ＣＦカードスロット５、ＬＣＤ／タッチパネル６、通信設定データベース７、及び、カードデータベース（ＣＦ）８などを備えている。
【００５５】
カード種別判断処理部１は、カードマネージャ（ＣＦ）４を使用して、ＣＦカードスロット５に挿入されているＣＦカード２０から個別情報（タプル情報など）を読み出して、カードデータベース（ＣＦ）８のデータと照合を行い、ＣＦカードスロット５に挿入されているＣＦカード２０の種別を判別する。
【００５６】
接続先選択処理部２は、カード種別判断処理部１によって判別されたカードの種別と通信設定データベース７に格納されている情報とから、使用可能な接続設定を選択する。なお、接続先選択処理部２は、後述するように、カード種別が無線ＬＡＮカードであり、接続先が複数登録されている場合、ＬＣＤ／タッチパネル６の画面上に接続先リスト（図１０参照）を表示する。
【００５７】
通信実行処理部３は、カード種別判断処理部１によって判別されたカードの種別と、接続先選択処理部２から送られる接続設定データ（接続先情報等）を用いて通信の接続処理を行なう。通信の接続処理はカードマネージャ（ＣＦ）４を使用して行なう。
【００５８】
カードマネージャ（ＣＦ）４は、ＣＦカードスロット５に挿入されているＣＦカード２０の状態を把握して各種処理を行なう。
【００５９】
ＣＦカードスロット５は、ＣＦカード２０を挿入するデバイス（図１のＣＦカードスロット１１０に相当）である。ＣＦカードスロット５には、無線ＬＡＮカード、有線ＬＡＮカード、ＰＨＳカードなどのＣＦカード２０が挿入される。
【００６０】
ＬＣＤ／タッチパネル６は、表示と入力を行なうユーザインタフェースであって、画面上にタブレットキー、タスクバー（図１参照）、各種アイコンなどが表示される。なお、ＬＣＤ／タッチパネル６は、図１、図２に示す携帯情報装置１００の液晶ディスプレイ（タッチパネル付き）１２０に相当する。
【００６１】
通信設定データベース７には、ネットワーク設定処理によって登録された接続先情報などが格納されている。接続先情報は、利用できる複数種のＣＦカード２０について通信を行うのに必要な接続先情報であり、例えばプロバイダの電話番号、アカウント情報など各種設定情報である。この実施形態では、無線ＬＡＮの複数の接続先（「会社」、「Ｈｏｔ  ｓｐｏｔ」、「自宅」）、有線ＬＡＮの接続先（会社）、ＰＨＳの接続先（電話番号）などが格納されている。また、無線ＬＡＮの接続先については優先順位が予め設定されており、この実施形態では、優先順位を「会社」→「Ｈｏｔ  ｓｐｏｔ」→「自宅」としている。
【００６２】
カードデータベース（ＣＦ）８には、各種のＣＦカード２０を識別するために必要な情報、例えばタプル情報が格納されている。タプル情報とは各ＰＣカードを特徴づける個別情報である。
【００６３】
次に、この実施形態の通信接続先選択処理を図７のフローチャートを参照しながら説明する。
【００６４】
なお、携帯情報装置１０の通信設定データベース７には、ネットワーク設定処理によって、前記した無線ＬＡＮの複数の接続先（「会社」、「Ｈｏｔ  ｓｐｏｔ」、「自宅」）及びその優先順位（「会社」→「Ｈｏｔ  ｓｐｏｔ」→「自宅」）、並びに、有線ＬＡＮの接続先（会社）、ＰＨＳの接続先（電話番号）などの接続先情報が予め設定・登録されているのもとする。
【００６５】
図７のフローにおいて、まず、ＣＦカードスロット５にＣＦカード２０が挿入されると（ステップＳ１）、その挿入されたＣＦカード２０の個別情報（タプル情報など）を読み出してＣＦカード２０の種別を判別する（ステップＳ２）。
【００６６】
次に、ＬＣＤ／タッチパネル６のタスクバー１２１に接続アイコン１２２を表示し（ステップＳ３）、その接続アイコン１２２がタッチペンにて押されると（ステップＳ４）、ステップＳ５において、接続処理を行う通信が「無線ＬＡＮ」であるのか、「有線ＬＡＮ・ＰＨＳ」であるのかを判定する。なお、この判定にはステップＳ２のカード判別結果を用いる。ステップＳ５での判定結果が「無線ＬＡＮ」である場合はステップＳ６に移行し、「有線ＬＡＮ・ＰＨＳ」である場合はステップＳ１４に移行する。
【００６７】
ステップＳ６においては、無線ＬＡＮ通信の接続先の登録箇所が１箇所であるか否かを判定し、登録個所が１箇所である場合、接続先の表示を行わずにステップＳ１４に移行する。
【００６８】
一方、登録個所が複数ある場合、図１０に示すような接続先リスト２００をＬＣＤ／タッチパネル６の画面上に表示する（ステップＳ７）。
【００６９】
次に、接続先リストを表示した時点から５秒間待機状態を維持し（ステップＳ９）、この５秒間において、接続先リスト２００内の接続先がタッチ操作されると（ステップＳ８）、そのタッチされた接続先の手動接続処理を開始する（ステップＳ１０）。
【００７０】
リスト表示から５秒が経過した後（接続先リストへのタッチ操作なし）、自動接続を開始し、まずはステップＳ１１において、複数の接続先（無線ＬＡＮの接続先）について、予め設定された優先順位（「会社」→「Ｈｏｔ  ｓｐｏｔ」→「自宅」）で接続の有無を順次確認し（ステップＳ１２）、接続可能な接続先が無い場合は、ステップＳ１３においてエラー処理を実行する。接続可能な接続先がある場合にはステップＳ１４に移行する。なお、通信チェックの結果つまり各接続先の接続状況（無線ＬＡＮ検出状況）は、図１０に示す接続先リスト２００に「○」、「×」で表示される。また、通信チェックにより未登録の接続先が検出された場合、その接続先リスト２００の接続先名に「未登録」の項目が表示されるとともに、ＥＳＳ−ＩＤ（Ｅｎｈａｎｃｅｄ  Ｓｅｒｖｉｃｅ  Ｓｅｔ  ＩＤ）が表示される。が表示される。
【００７１】
そして、ステップＳ１１及びステップＳ１２の処理にて接続先（この例では「Ｈｏｔ  ｓｐｏｔ」）が選択されると、ステップＳ１４において無線ＬＡＮ通信への接続に認証が必要であるか否かを判定し、認証の必要がない場合はステップＳ１７に移行する。認証が必要である場合は、図１１に示す認証入力画面３００をＬＣＤ／タッチパネル６の画面上に表示し、ユーザーが入力したパスワードの認証を行い（ステップＳ１５、ステップＳ１６）、認証結果が「ＯＫ」であればステップＳ１７に移行し、認証結果が「ＮＧ」であればステップＳ１８に進んでエラー処理を実行する。
【００７２】
ステップＳ１７において接続設定が完了すると、ステップＳ１９においてデータ通信処理を実行する。この後、ユーザーに入力操作などにより接続を中止する旨が指示されるまで通信処理を継続する（ステップＳ２０）。
【００７３】
一方、ステップＳ５での判定結果が「有線ＬＡＮ・ＰＨＳ」である場合、「無線ＬＡＮ」の場合と同様に、ステップＳ１４において認証が必要であるか否かを判定し、認証の必要がない場合はステップＳ１７に移行する。認証が必要である場合は、図１１に示す認証入力画面３００をＬＣＤ／タッチパネル６の画面上に表示し、ユーザーが入力したパスワードの認証を行い（ステップＳ１５、ステップＳ１６）、認証結果が「ＯＫ」であればステップＳ１７に移行し、認証結果が「ＮＧ」であればステップＳ１８に進んでエラー処理を実行する。
【００７４】
ステップＳ１７において接続設定が完了すると、ステップＳ１８においてデータ通信処理を実行する。この後、ユーザーに入力操作などにより接続を中止する旨が指示されるまで通信処理を継続する（ステップＳ２０）。
【００７５】
以上のように、この実施形態によれば、ＬＣＤ／タッチパネル６の画面上に表示された接続アイコン１２２をタッチ操作するだけで、登録済みの接続先が自動選択されて通信接続が自動的に行われるので、ユーザーは、無線ＬＡＮ、有線ＬＡＮ、ＰＨＳ等のプルダウン選択及び無線ＬＡＮの複数の接続先のプルダウン選択などの面倒な操作を一切行う必要はない。
【００７６】
なお、以上の実施形態では、無線ＬＡＮ通信に複数の接続先を設定する場合の例を示したが、有線ＬＡＮ通信・ＰＨＳ通信において複数の接続先を設定する場合にも、本発明を適用することができる。その場合、図７のフローのステップＳ６〜ステップＳ１３と同様な処理を、有線ＬＡＮ通信・ＰＨＳ通信の各接続処理ルーチンに組み込めばよい。
【００７７】
また、以上の実施形態では、無線ＬＡＮの接続先の優先順位を、固定順位（「会社」→「Ｈｏｔ  ｓｐｏｔ」→「自宅」）としているが、本発明はこれに限定されず、接続先の優先順位を自動的に変更するようにしてもよい。
【００７８】
この場合、例えば、設定・登録されている優先順位（初期の順位）が「会社」→「Ｈｏｔ  ｓｐｏｔ」→「自宅」である場合、通信回数を重ねていくうちに、「会社」よりも「自宅」の接続を行う頻度が多くなり「Ｈｏｔ  ｓｐｏｔ」が一番少ない回数となったときには、優先順位を「自宅」→「会社」→「Ｈｏｔ  ｓｐｏｔ」に自動的に変更するように構成すればよい。
【００７９】
＜実施形態２＞
図８は本発明の携帯情報装置の他の実施形態の制御系の構成を示すブロック図である。
【００８０】
図８に示す携帯情報装置１００は、前記した＜実施形態１＞で説明した、カード種別判断処理部１、接続先選択処理部２、通信実行処理部３、カードマネージャ（ＣＦ）４、ＣＦカードスロット５、ＬＣＤ／タッチパネル６、通信設定データベース７、カードデータベース（ＣＦ）８の各機能部に加えて、通信監視処理部９、カードマネージャ（ＳＤ）１０、ＳＤカードスロット１１及びカードデータベース（ＳＤ）１２などを備えている。
【００８１】
通信監視処理部９は、通信実行処理部３が通信を開始した際の接続先情報を取得して、カードマネージャ（ＣＦ）４を利用し接続状態を監視する。
【００８２】
通信実行処理部３は、前記した機能に加えて、通信監視処理部９の照会を行い、既に接続している状態のときに多重に処理（ＳＤカードによる接続処理）をしないようにする機能、及び、通信監視処理部９の照会を行い、ＣＦカード２０による接続が切れたときに、後述する接続の切換処理を行う機能を備えている。
【００８３】
通信設定データベース７には、前記したＣＦカード２０についての接続先情報などに加えて、利用できるＳＤカード３０の種別に対して、通信を行うために必要な情報が予め設定・格納されている。
【００８４】
カードマネージャ（ＳＤ）１０は、ＳＤカードスロット１１に挿入されているＳＤカード３０の状態を把握して各種処理を行なう。
【００８５】
ＳＤカードスロット１１は、ＳＤカード３０を挿入するデバイス（図１のＳＤカードスロット１１８に相当）である。
【００８６】
カードデータベース（ＳＤ）１２には、各種のＳＤカード３０を識別するために必要な情報が格納されている。
【００８７】
次に、この実施形態の通信接続先選択処理を図９のフローチャートを参照しながら説明する。
【００８８】
なお、携帯情報装置１００の通信設定データベース７には、ネットワーク設定処理によって、前記した無線ＬＡＮの複数の接続先（「会社」、「Ｈｏｔ  ｓｐｏｔ」、「自宅」及びその優先順位（「会社」→「Ｈｏｔ  ｓｐｏｔ」→「自宅」）、並びに、有線ＬＡＮの接続先（会社）、ＰＨＳの接続先（電話番号）などの接続先情報が予め設定・登録されているのもとする。
【００８９】
図９のフローにおいて、ステップＳ１０１〜ステップＳ１２０までの各処理は、図７のフローのステップＳ１〜ステップＳ２０と同じである。
【００９０】
図９のフローにおいては、ステップＳ１１９のデータ通信処理が継続されているときに（ステップＳ１２０の判断が「ＮＯ」であるとき）、そのデータ通信処理が無線ＬＡＮである場合、カードマネージャ（ＣＦ）４の照会により、無線ＬＡＮの接続状態の確認（電波チェック）を行い（ステップＳ１２１）、接続状態が良好であればデータ通信処理を継続する。
【００９１】
一方、通信状態が不良で通信が切れた場合は、通信接続が切れた無線ＬＡＮの接続先以外に、接続可能な無線ＬＡＮの接続先があるか否かをチェックし（ステップＳ１２２）、接続可能な無線ＬＡＮの接続先があれば、その接続先に自動接続（接続の自動切換）する（ステップＳ１２３）。接続可能な無線ＬＡＮの接続先が検出されない場合はステップＳ１２４に進む。
【００９２】
ステップＳ１２４においては、接続可能な他の接続装置（ＳＤカードによる接続）があるか否かをチェックし、接続可能な他の接続装置がある場合（ＳＤカードスロット１１にＳＤカード３０が挿入されている場合）は、その他の接続装置による通信接続に切り換える。接続可能な他の接続装置がない場合（ＳＤカードスロット１１にＳＤカード３０が挿入されていない場合）は、ステップＳ１２６に進んでエラー処理を行う。
【００９３】
以上のように、この実施形態によれば、ＬＣＤ／タッチパネル６の画面上に表示された接続アイコン１２２をタッチ操作するだけで、登録済みの接続先が自動選択されて通信接続が自動的に行われるので、ユーザーは、無線ＬＡＮ、有線ＬＡＮ、ＰＨＳ等のプルダウン選択及び無線ＬＡＮの複数の接続先のプルダウン選択などの面倒な操作を一切行う必要はない。
【００９４】
しかも、無線ＬＡＮ通信を行っている途中において、ユーザーが接続先の通信圏外に移動して通信接続が切れた場合には、無線ＬＡＮの他の接続先への接続もしくは他の接続装置による接続に自動的に切り換わるので、ユーザーは接続操作のやり直しを行う必要がない。
【００９５】
なお、この実施形態においても、前記した実施形態と同様に、有線ＬＡＮ通信・ＰＨＳ通信について複数の接続先を設定するようにしてもよく、その場合、図９のフローのステップＳ１０６〜ステップＳ１１３と同様な処理を、有線ＬＡＮ通信・ＰＨＳ通信の各接続処理ルーチンに組み込めばよい。
【００９６】
また、この実施形態においても、前記した実施形態と同様に、設定・登録されている優先順位（「会社」→「Ｈｏｔ  ｓｐｏｔ」→「自宅」）を通信回数の頻度に応じて変更するようにしてもよい。
【００９７】
以上の各実施形態で説明した通信接続先選択処理は、ＰＤＡやＰＣなどの情報装置に、通信接続先選択プログラムを実行させることにより実現するようにしてもよい。また、そのような通信接続先選択プログラムはＰＤＡやＰＣなどの情報装置で読み取り可能な記録媒体に記録されていてもよい。
【００９８】
記録媒体としては、メモリ、例えばＲＯＭのように、そのもの自体がプログラムメディアであってもよいし、また、外部記憶装置としてプログラム読取装置が設けられ、そこに記録媒体を挿入することで読み取り可能なプログラムメディアであってもよい。
【００９９】
装置本体と分離可能に構成される記録媒体としては、磁気テープやカセットテープ等のテープ系、ＦＤ（フレキシブルディスク）／ＨＤ（ハードディスク）等の磁気ディスク系、ＣＤ−ＲＯＭ／ＭＯ／ＭＤ／ＤＶＤ等の光ディスク系、ＩＣカード（メモリカードを含む）／光カード等のカード系、あるいは、マスクＲＯＭ、ＥＰＲＯＭ、ＥＥＰＲＯＭ、フラッシュＲＯＭ等による半導体メモリを含めた固定的にプログラムを担持する媒体であってもよい。
【０１００】
また、記録媒体としては、インターネットを含む通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。なお、記録媒体に格納されている内容としてはプログラムに限定されず、データであってもよい。
【０１０１】
さらに、本発明では、プログラム自体として、ＰＡＤやＰＣ等の情報装置において実行される処理そのものであってもよいし、あるいはインターネットを含む通信ネットワークとアクセスすることで取り込める、あるいは取り込んだものであってもよい。さらには、この取り込んだプログラムに基づいて、上記情報装置内で処理された結果、つまり生成されたものであってもよい。なお、これらのものはプログラムに限定されず、データであってもよい。
【０１０２】
【発明の効果】
以上説明したように、本発明によれば、カードスロットに挿入された通信カードが自動的に判別され、その判別された通信カードについて予め登録されている接続先に自動的に接続されるので、ユーザーは、接続アイコンのタッチ操作等を行うだけでよく、無線ＬＡＮ、有線ＬＡＮ、ＰＨＳなどの接続先をプルダウンで選択するというような面倒な操作を行う必要がなくなる。さらに、１つの通信カードについて複数の接続先が登録されている場合、それら複数の接続先について、予め設定された優先順位で接続の有無を順次確認し、接続可能な接続先を検出できた時点でその接続先に自動接続するようにしているので、例えば「会社」、「Ｈｏｔ  ｓｐｏｔ」、「自宅」などの無線ＬＡＮの接続先をプルダウンで選択するというような面倒な処理も省略することができる。従って、ＰＤＡやＰＣ等の情報装置において通信接続の操作性が飛躍的に向上する。
【図面の簡単な説明】
【図１】本発明を適用する携帯情報装置をＰＣスタイルの状態で示す正面図である。
【図２】同じく携帯情報装置をＰＡＤスタイルの状態で示す正面図（Ａ）及び側面図（Ｂ）である。
【図３】図１の携帯情報装置の操作部を回転させている状態を示す斜視図である。
【図４】図１の携帯情報装置のカードスロットに挿入可能なＣＦカードの例を示す図である。
【図５】図１の携帯情報装置のカードスロットにＰＨＳカードを挿入した状態を示す図である。
【図６】本発明の携帯情報装置の実施形態の制御系の構成を示すブロック図である。
【図７】図６の実施形態において実行する通信接続先選択処理の内容を示すフローチャートである。
【図８】本発明の携帯情報装置の他の実施形態の制御系の構成を示すブロック図である。
【図９】図８の実施形態において実行する通信接続先選択処理の内容を示すフローチャートである。
【図１０】ＬＣＤ／タッチパネルに表示する接続先リストの表示例を示す図である。
【図１１】ＬＣＤ／タッチパネルに表示する認証入力画面の表示例を示す図である。
【符号の説明】
１０，１００  携帯情報装置
１  カード種別判断処理部
２  接続先選択処理部
３  通信実行処理部
４  カードマネージャ（ＣＦ）
５  ＣＦカードスロット
６  ＬＣＤ／タッチパネル
７  通信設定データベース
８  カードデータベース（ＣＦ）
９  通信監視処理部
１０  カードマネージャ（ＳＤ）
１１  ＳＤカードスロット
１２  カードデータベース（ＳＤ）
２０  ＣＦカード
３０  ＳＤカード
１０１  装置本体
１１０  ＣＦカードスロット
１１８  ＳＤカードスロット
１０２  表示部
１２０  液晶ディスプレイ（タッチパネル付き）
１２１  タスクバー
１２２  接続アイコン
２００  接続先リスト
【図１】
2004165824.tif 000003
【図２】
2004165824.tif 000004
【図３】
2004165824.tif 000005
【図４】
2004165824.tif 000006
【図５】
2004165824.tif 000007
【図６】
2004165824.tif 000008
【図７】
2004165824.tif 000009
【図８】
2004165824.tif 000010
【図９】
2004165824.tif 000011
【図１０】
2004165824.tif 000012
【図１１】
2004165824.tif 000013